【手続補正書】
【提出日】平成19年7月9日(2007.7.9)
【手続補正１】
【補正対象書類名】明細書
【補正対象項目名】特許請求の範囲
【補正方法】変更
【補正の内容】
【特許請求の範囲】
【請求項１】  体腔内に挿入される挿入部内に処置具挿通用チャンネルが配設され、上記挿入部の先端付近に上記処置具挿通用チャンネルの先端開口部が配設された内視鏡において、
上記処置具挿通用チャンネルを介して挿通されたガイドワイヤの先端部が上記処置具挿通用チャンネルの先端開口部から導出された状態で上記ガイドワイヤの上を走行する処置具を挿脱する際に、上記ガイドワイヤを係脱可能に係止するガイドワイヤ固定手段を上記挿入部に設け、
上記ガイドワイヤ固定手段は、上記処置具挿通用チャンネルの先端開口部近傍に設けられた処置具起上台と、この処置具起上台を起上した際に対向する位置に設けた構成部材とによって構成されていることを特徴とする内視鏡。
【請求項２】  上記処置具起上台を操作してガイドワイヤを起上させることでガイドワイヤのみを係合可能にするスリットを、上記処置具起上台の誘導面頂上部に設けたことを特徴とする請求項１に記載の内視鏡。
【請求項３】  上記処置具挿通チャンネルの開口部の上部に設けられたワイヤ当接面を有し、上記起上台が回動起上され上記スリットと上記ワイヤ当接面との間に上記ガイドワイヤを挟持・固定した際に上記ワイヤ当接面と上記ガイドワイヤとの最も先端側の接触部が上記起上台の回動軸よりも基端側に位置することを特徴とする請求項２に記載の内視鏡。
【請求項４】  上記処置具起上台の誘導面頂上部に対向する二つの壁面を持つスリットを設け、上記壁面は上記ガイドワイヤの外周のみと当接することで上記ガイドワイヤのみを固定することを特徴とする請求項２に記載の内視鏡。
【請求項５】  上記スリットの開口部の幅は、上記ガイドワイヤの外径より広く、上記ガイドワイヤに外装される上記処置具の外径よりも狭いことを特徴とする請求項２に記載の内視鏡。
【請求項６】  上記スリットの挿入部軸方向に対する中心軸を、上記誘導面の中心軸に対して傾斜させたことを特徴とする請求項２に記載の内視鏡。
【請求項７】  上記処置具起上台の起上開始から所定の操作範囲の位置で上記操作部材の操作を中間停止させる中間ストッパを設け、この中間ストッパを解除して上記処置具起上台の操作全範囲までさらに操作可能とする操作手段を有することを特徴とする請求項２に記載の内視鏡。
【請求項８】  上記中間ストッパを複数設けたことを特徴とする請求項７に記載の内視鏡。
【請求項９】  上記操作手段は、上記操作部材に設けた突起部と上記突起部に係合する弾性部材よりなることを特徴とする請求項７に記載の内視鏡。
【請求項１０】  上記起上台が回動倒置された際に、上記スリットに対向する上記処置具起上台の収容室の壁面の高さを上記スリットの底面より高くしたことを特徴とする請求項２に記載の内視鏡。
【請求項１１】  上記挿入部の手元側端部に操作部が連結されると共に、上記挿入部内に配設された処置具挿通チャンネルの先端開口部が上記挿入部の先端部に配置され、上記挿入部の先端側下部に設けられた回動軸を中心として回動して上記処置具を起上・倒置する起上台と、該起上台を操作可能な操作レバーと、一端を上記起上台に、他端を上記操作レバーと同軸で一体的に回動する回転体に固定した牽引部材を設け、 
上記回転体と対向して設けられ、上記回転体の回動を抑止する回動抑止体と、上記回転体が所定量回転した際に上記回動抑止体による抑止力を増加させる抑止力増強機構を、上記回転体と上記回動抑止体との間に設けたことを特徴とする請求項１に記載の内視鏡。
【請求項１２】  体腔内に挿入される挿入部と、
この挿入部の手元側端部に連結された操作部と、
上記挿入部の先端部に配置され、上記操作部にて操作可能な処置具起上台と、
を有する内視鏡において、
上記処置具起上台を操作してガイドワイヤを起上させることで上記ガイドワイヤのみを係合可能にするスリットを、上記処置具起上台の誘導面頂上部に設けたことを特徴とする内視鏡。
【請求項１３】  体腔内に挿入される挿入部内に処置具挿通用チャンネルが配設され、上記挿入部の先端付近に上記処置具挿通用チャンネルの先端開口部が、そして操作部手元側に上記処置具挿通用チャンネルの開口部である処置具挿入口が配設された内視鏡と、
上記処置具挿通用チャンネルを通過可能なガイドワイヤと、
このガイドワイヤを挿通可能な管路を有し、かつ上記処置具挿通用チャンネルに挿通可能な処置具と、
を有する内視鏡システムにおいて、
上記処置具は上記処置具挿通用チャンネル内に挿通した状態で処置に必要な上記先端開口部からの突出長と、手元側の作業上必要な上記処置具挿入口からの突出長を有しており、上記処置具挿通用チャンネルを介して挿通された上記ガイドワイヤの先端部が上記先端開口部から導出された状態で上記ガイドワイヤ上を走行する処置具を挿脱する際に、上記ガイドワイヤを係脱可能に係止するガイドワイヤ固定手段を上記挿入部の先端部近傍に設けると共に、上記ガイドワイヤは上記処置具先端部を上記係止位置より操作部手元側に引き込み、上記ガイドワイヤ固定手段にて係止された状態で処置具の手元側端部より突出する長さを有することを特徴とする内視鏡システム。
【請求項１４】  さらに、上記処置具挿通用チャンネルの先端開口部近傍に設けられた処置具起上台を操作してガイドワイヤを起上させることで上記ガイドワイヤのみを係合可能にするスリットを、上記処置具起上台の誘導面頂上部に設けたことを特徴とする請求項１３に記載の内視鏡システム。
【請求項１５】  上記処置具挿通チャンネルの開口部の上部に設けられた突起部を有し、上記起上台が回動起上され上記スリットと上記突起部との間に上記ガイドワイヤを挟持・固定した際に上記突起部と上記ガイドワイヤとの最も先端側の接触部が上記起上台の回動軸よりも基端側に位置することを特徴とする請求項１４に記載の内視鏡システム。
【請求項１６】  上記処置具起上台の起上開始から所定の操作範囲の位置で上記操作部材の操作を中間停止させる中間ストッパを設け、この中間ストッパを解除して上記操作部材の操作全範囲までさらに操作可能とする操作手段を有することを特徴とする請求項１４に記載の内視鏡システム。
【請求項１７】  上記スリットは対向する二つの壁面を有し、該壁面は上記ガイドワイヤの外周面のみを係止するように設定されていることを特徴とする請求項１４に記載の内視鏡システム。
【請求項１８】  上記スリットの幅は、上記ガイドワイヤの外径より広く、該ガイドワイヤに外装される処置具の外径より狭く設定されている請求項１４に記載の内視鏡システム。
【請求項１９】  上記スリットの挿入部中心軸方向に対する中心軸を、上記誘導面の中心軸に対して傾斜させたことを特徴とする請求項１４に記載の内視鏡システム。
【請求項２０】  上記ガイドワイヤの全長は、処置具の全長の２倍以下に設定されていることを特徴とする請求項１３に記載の内視鏡システム。
【請求項２１】  上記ガイドワイヤの全長は、上記処置具の先端部を上記係止位置より手元側操作部側に引き込み該ガイドワイヤを上記ガイドワイヤ固定手段に固定した状態において、処置具挿通用チャンネルの開口部より突出し、かつ処置具の手元側端部より突出することが可能に設定されていることを特徴とする請求項１３に記載の内視鏡システム。
【請求項２２】  上記処置具先端部を上記係止位置より手元側操作部側に引き込み上記ガイドワイヤを上記ガイドワイヤ固定手段にて係止した状態における上記処置具の上記処置具挿入口からの突出長を３０乃至６０ｃｍと設定し、さらに同状態における処置具の手元側から突出するガイドワイヤの長さを２０ｃｍ以下と設定したことを特徴とする請求項１３に記載の内視鏡システム。
【手続補正２】
【補正対象書類名】明細書
【補正対象項目名】０００３
【補正方法】削除
【補正の内容】
【手続補正３】
【補正対象書類名】明細書
【補正対象項目名】００１９
【補正方法】変更
【補正の内容】
【００１９】
本発明は上記事情に着目してなされたもので、その目的は、処置具の従来の操作方法や、操作感覚を損なうことなく、より短時間で容易に処置具が交換でき、かつ交換処置が術者と一人の補助者で行なうことができる内視鏡とその内視鏡システムを提供することにある。
【手続補正４】
【補正対象書類名】明細書
【補正対象項目名】００２０
【補正方法】変更
【補正の内容】
【００２０】
【課題を解決するための手段】
請求項１の発明は、体腔内に挿入される挿入部内に処置具挿通用チャンネルが配設され、上記挿入部の先端付近に上記処置具挿通用チャンネルの先端開口部が配設された内視鏡において、上記処置具挿通用チャンネルを介して挿通されたガイドワイヤの先端部が上記処置具挿通用チャンネルの先端開口部から導出された状態で上記ガイドワイヤの上を走行する処置具を挿脱する際に、上記ガイドワイヤを係脱可能に係止するガイドワイヤ固定手段を上記挿入部の先端部近傍に設け、上記ガイドワイヤ固定手段は、上記処置具挿通用チャンネルの先端開口部近傍に設けられた処置具起上台と、この処置具起上台を起上した際に対向する位置に設けた構成部材とによって構成されていることを特徴とする内視鏡である。
【手続補正５】
【補正対象書類名】明細書
【補正対象項目名】００２１
【補正方法】変更
【補正の内容】
【００２１】
請求項２の発明は、上記処置具起上台を操作してガイドワイヤを起上させることでガイドワイヤのみを係合可能にするスリットを、上記処置具起上台の誘導面頂上部に設けたことを特徴とする請求項１に記載の内視鏡である。
【手続補正６】
【補正対象書類名】明細書
【補正対象項目名】００２２
【補正方法】変更
【補正の内容】
【００２２】
請求項３の発明は、上記処置具挿通チャンネルの開口部の上部に設けられたワイヤ当接面を有し、上記起上台が回動起上され上記スリットと上記ワイヤ当接面との間に上記ガイドワイヤを挟持・固定した際に上記ワイヤ当接面と上記ガイドワイヤとの最も先端側の接触部が上記起上台の回動軸よりも基端側に位置することを特徴とする請求項２に記載の内視鏡である。  
請求項４の発明は、上記処置具起上台の誘導面頂上部に対向する二つの壁面を持つスリットを設け、上記壁面は上記ガイドワイヤの外周のみと当接することで上記ガイドワイヤのみを固定することを特徴とする請求項２に記載の内視鏡である。 
請求項５の発明は、上記スリットの開口部の幅は、上記ガイドワイヤの外径より広く、上記ガイドワイヤに外装される上記処置具の外径よりも狭いことを特徴とする請求項２に記載の内視鏡である。 
請求項６の発明は、上記スリットの挿入部軸方向に対する中心軸を、上記誘導面の中心軸に対して傾斜させたことを特徴とする請求項２に記載の内視鏡である。 
請求項７の発明は、上記処置具起上台の起上開始から所定の操作範囲の位置で上記操作部材の操作を中間停止させる中間ストッパを設け、この中間ストッパを解除して上記処置具起上台の操作全範囲までさらに操作可能とする操作手段を有することを特徴とする請求項２に記載の内視鏡である。 
請求項８の発明は、上記中間ストッパを複数設けたことを特徴とする請求項７に記載の内視鏡である。 
請求項９の発明は、上記操作手段は、上記操作部材に設けた突起部と上記突起部に係合する弾性部材よりなることを特徴とする請求項７に記載の内視鏡である。 
請求項１０の発明は、上記起上台が回動倒置された際に、上記スリットに対向する上記処置具起上台の収容室の壁面の高さを上記スリットの底面より高くしたことを特徴とする請求項２に記載の内視鏡である。 
請求項１１の発明は、上記挿入部の手元側端部に操作部が連結されると共に、上記挿入部内に配設された処置具挿通チャンネルの先端開口部が上記挿入部の先端部に配置され、上記挿入部の先端側下部に設けられた回動軸を中心として回動して上記処置具を起上・倒置する起上台と、該起上台を操作可能な操作レバーと、一端を上記起上台に、他端を上記操作レバーと同軸で一体的に回動する回転体に固定した牽引部材を設け、上記回転体と対向して設けられ、上記回転体の回動を抑止する回動抑止体と、上記回転体が所定量回転した際に上記回動抑止体による抑止力を増加させる抑止力増強機構を、上記回転体と上記回動抑止体との間に設けたことを特徴とする請求項１に記載の内視鏡である。 
請求項１２の発明は、体腔内に挿入される挿入部と、この挿入部の手元側端部に連結された操作部と、上記挿入部の先端部に配置され、上記操作部にて操作可能な処置具起上台と、を有する内視鏡において、上記処置具起上台を操作してガイドワイヤを起上させることで上記ガイドワイヤのみを係合可能にするスリットを、上記処置具起上台の誘導面頂上部に設けたことを特徴とする内視鏡である。 
請求項１３の発明は、体腔内に挿入される挿入部内に処置具挿通用チャンネルが配設され、上記挿入部の先端付近に上記処置具挿通用チャンネルの先端開口部が、そして操作部手元側に上記処置具挿通用チャンネルの開口部である処置具挿入口が配設された内視鏡と、上記処置具挿通用チャンネルを通過可能なガイドワイヤと、このガイドワイヤを挿通可能な管路を有し、かつ上記処置具挿通用チャンネルに挿通可能な処置具と、を有する内視鏡システムにおいて、上記処置具は上記処置具挿通用チャンネル内に挿通した状態で処置に必要な上記先端開口部からの突出長と、手元側の作業上必要な上記処置具挿入口からの突出長を有しており、上記処置具挿通用チャンネルを介して挿通された上記ガイドワイヤの先端部が上記先端開口部から導出された状態で上記ガイドワイヤ上を走行する処置具を挿脱する際に、上記ガイドワイヤを係脱可能に係止するガイドワイヤ固定手段を上記挿入部の先端部近傍に設けると共に、上記ガイドワイヤは上記処置具先端部を上記係止位置より操作部手元側に引き込み、上記ガイドワイヤ固定手段にて係止された状態で処置具の手元側端部より突出する長さを有することを特徴とする内視鏡システムである。 
請求項１４の発明は、さらに、上記処置具挿通用チャンネルの先端開口部近傍に設けられた処置具起上台を操作してガイドワイヤを起上させることで上記ガイドワイヤのみを係合可能にするスリットを、上記処置具起上台の誘導面頂上部に設けたことを特徴とする請求項１３に記載の内視鏡システムである。 
請求項１５の発明は、上記処置具挿通チャンネルの開口部の上部に設けられた突起部を有し、上記起上台が回動起上され上記スリットと上記突起部との間に上記ガイドワイヤを挟持・固定した際に上記突起部と上記ガイドワイヤとの最も先端側の接触部が上記起上台の回動軸よりも基端側に位置することを特徴とする請求項１４に記載の内視鏡システムである。 
請求項１６の発明は、上記処置具起上台の起上開始から所定の操作範囲の位置で上記操作部材の操作を中間停止させる中間ストッパを設け、この中間ストッパを解除して上記操作部材の操作全範囲までさらに操作可能とする操作手段を有することを特徴とする請求項１４に記載の内視鏡システムである。 
請求項１７の発明は、上記スリットは対向する二つの壁面を有し、該壁面は上記ガイドワイヤの外周面のみを係止するように設定されていることを特徴とする請求項１４に記載の内視鏡システムである。 
請求項１８の発明は、上記スリットの幅は、上記ガイドワイヤの外径より広く、該ガイドワイヤに外装される処置具の外径より狭く設定されている請求項１４に記載の内視鏡システムである。 
請求項１９の発明は、上記スリットの挿入部中心軸方向に対する中心軸を、上記誘導面の中心軸に対して傾斜させたことを特徴とする請求項１４に記載の内視鏡システムである。 
請求項２０の発明は、上記ガイドワイヤの全長は、処置具の全長の２倍以下に設定されていることを特徴とする請求項１３に記載の内視鏡システムである。 
請求項２１の発明は、上記ガイドワイヤの全長は、上記処置具の先端部を上記係止位置より手元側操作部側に引き込み該ガイドワイヤを上記ガイドワイヤ固定手段に固定した状態において、処置具挿通用チャンネルの開口部より突出し、かつ処置具の手元側端部より突出することが可能に設定されていることを特徴とする請求項１３に記載の内視鏡システムである。 
請求項２２の発明は、上記処置具先端部を上記係止位置より手元側操作部側に引き込み上記ガイドワイヤを上記ガイドワイヤ固定手段にて係止した状態における上記処置具の上記処置具挿入口からの突出長を３０乃至６０ｃｍと設定し、さらに同状態における処置具の手元側から突出するガイドワイヤの長さを２０ｃｍ以下と設定したことを特徴とする請求項１３に記載の内視鏡システムである。
【手続補正７】
【補正対象書類名】明細書
【補正対象項目名】図面の簡単な説明
【補正方法】変更
【補正の内容】
【図面の簡単な説明】
【図１】  本発明の第１実施形態の内視鏡と各種の外部装置とを組込んだ内視鏡装置のシステム全体の概略構成を示す斜視図。
【図２】  第１実施形態の内視鏡における挿入部の先端部の内部構成を示す要部の縦断面図。
【図３】  第１実施形態の内視鏡における操作部に内蔵されている起上台作動機構を示す要部の平面図。
【図４】  第１実施形態の内視鏡における操作部に内蔵されている起上台作動機構を示す要部の縦断面図。
【図５】  本発明の第１実施形態の内視鏡における挿入部の先端部の内部構成を示す要部の縦断面図。
【図６】  （Ａ）は第１実施形態の内視鏡におけるガイドワイヤの係止状態を示す要部の縦断面図、（Ｂ）は処置具起上台の正面図。
【図７】  本発明の第２実施形態を示すもので、（Ａ）は内視鏡における挿入部の先端部の概略構成を示す要部の斜視図、（Ｂ）は挿入部の先端部の平面図、（Ｃ）はガイドワイヤが係止位置に移動された状態を示す要部の縦断面図、（Ｄ）は第１，第２実施形態の変形例を示す要部の縦断面図。
【図８】  本発明の第３実施形態を示すもので、（Ａ）は内視鏡における挿入部の先端部の概略構成を示す要部の断面図、（Ｂ）は挿入部の先端部の平面図、（Ｃ）はガイドワイヤが係止位置に移動された状態を示す挿入部の先端の平面図、（Ｄ）は変形例を示す挿入部の先端部の平面図。
【図９】  本発明の第４実施形態の処置具起上台を示す正面図。
【図１０】  本発明の第５実施形態を示すもので、（Ａ）は処置具起上台の正面図、（Ｂ）は処置具起上台の縦断面図。
【図１１】  本発明の第６実施形態を示すもので、（Ａ）は処置具起上台の背面図、（Ｂ）は処置具起上台のワイヤ係止溝の部分を拡大した縦断面図。
【図１２】  （Ａ）は第６実施形態の処置具起上台の第１変形例を示す正面図、（Ｂ）は第６実施形態の処置具起上台の第２変形例を示す正面図、（Ｃ）は第６実施形態の処置具起上台の第３変形例を示す要部の縦断面図。
【図１３】  本発明の第７実施形態におけるガイドカテーテルを挿通した状態での処置具起上台の倒置状態を示す要部の縦断面図。
【図１４】  第７実施形態の処置具起上台の起上状態を示す要部の縦断面図。
【図１５】  （Ａ）は第７実施形態の処置具起上台の正面図、（Ｂ）は処置具起上台の背面図。
【図１６】  本発明の第８実施形態における内視鏡の処置具起上台の構成を示す要部の縦断面図。
【図１７】  第８実施形態の内視鏡の処置具起上台における理想的なガイドワイヤ固定状態を示す要部の縦断面図。
【図１８】  第８実施形態の内視鏡の処置具起上台における加工によるばらつきが起きた際のガイドワイヤ固定状態を示す縦断面図。
【図１９】  本発明の第９実施形態におけるガイドワイヤ固定時の状態を示す要部の縦断面図。
【図２０】  従来の内視鏡先端部におけるガイドワイヤ固定時の状態を示す要部の縦断面図。
【図２１】  本発明の第１１実施形態を示す起上台作動機構の要部の平面図。
【図２２】  （Ａ）は第１１実施形態の起上台作動機構の縦断面図、（Ｂ）は起上台操作ノブを示す要部の斜視図、（Ｃ）はブレーキ機構の抑止増強部材を示す斜視図、（Ｄ）は摩擦抵抗部材の埋設状態を示す抑止増強部材の平面図。
【図２３】  第１１実施形態の第１の変形例におけるブレーキ機構の抑止増強部材を示す平面図。
【図２４】  本発明の第１０実施形態を示す起上台作動機構の要部の平面図。
【図２５】  （Ａ）は第１０実施形態を示す起上台作動機構の縦断面図、（Ｂ）は起上台作動機構の操作レバーを弾性変形させた状態を示す要部の縦断面図。
【図２６】  第１０実施形態の起上台作動機構のストッパ部材を示す斜視図。
【図２７】  第１０実施形態の起上台作動機構の動作を説明するための説明図。
【図２８】  第１０実施形態の変形例を示す要部の縦断面図。
【図２９】  本発明の第１２実施形態を示すもので、（Ａ）は内視鏡の挿入部の先端部分を示す斜視図、（Ｂ）はガイドワイヤ固定時の実際の内視鏡画面を示す平面図。
【図３０】  第１２実施形態の内視鏡の挿入部における先端部分の内部構成を示す縦断面図。
【図３１】  （Ａ）は本発明の第１３実施形態のガイドワイヤを示す平面図、（Ｂ）は第１３実施形態のガイドワイヤの第１変形例を示す平面図、（Ｃ）は第１３実施形態のガイドワイヤの第２変形例を示す平面図。
【図３２】  （Ａ）は本発明の第１４実施形態におけるガイドワイヤ固定時の処置具起上台の倒置状態を示す要部の縦断面図、（Ｂ）は従来のガイドワイヤ固定時における処置具起上台の倒置状態を示す要部の縦断面図。
。
【図３３】  本発明の第１５実施形態を示すもので、（Ａ）は内視鏡における挿入部の先端部の概略構成を示す要部の斜視図、（Ｂ）は挿入部の先端部の内部構成を示す要部の縦断面図。
【図３４】  第１５実施形態の内視鏡における挿入部の先端カバーの変形例を示す要部の斜視図。
【図３５】  本発明の第１６実施形態を示すもので、（Ａ）は内視鏡先端部より見た処置具起上台の倒置状態を示す横断面図、（Ｂ）は処置具起上台の起上時の状態を示す横断面図。
【図３６】  本発明の第１７実施形態を示すもので、（Ａ）は内視鏡先端部より見た処置具起上台の倒置状態を示す横断面図、（Ｂ）は処置具起上台の起上時の状態を示す横断面図。
【図３７】  本発明の第１８実施形態を示すもので、（Ａ）は内視鏡における挿入部の先端部を示す平面図、（Ｂ）は挿入部の先端部の内部構成を示す要部の縦断面図、（Ｃ）はガイドワイヤの固定前の状態を示す要部の縦断面図、（Ｄ）はガイドワイヤの固定状態を示す要部の縦断面図。
【図３８】  本発明の第１９実施形態の内視鏡における挿入部の先端部の内部構成を示す要部の縦断面図。
【図３９】  第１９実施形態の内視鏡における処置具起上台を示す斜視図。
【図４０】  本発明の第２０実施形態の内視鏡におけるガイドワイヤの係止状態を示す要部の縦断面図。
【図４１】  本発明の第２１実施形態を示すもので、（Ａ）は内視鏡における挿入部の先端部の概略構成を示す斜視図、（Ｂ）はガイドワイヤ固定具を示す斜視図。
【図４２】  本発明の第２２実施形態における処置具起上台の倒置状態を示す縦断面図。
【図４３】  第２２実施形態の処置具起上台の起上状態を示す縦断面図。
【図４４】  第２２実施形態の内視鏡の挿入部における先端部分の内部構成を示す要部の横断面図。
【図４５】  本発明の第２３実施形態を示す内視鏡の概略構成図。
【図４６】  第２４実施形態の内視鏡におけるガイドワイヤ固定具の動作を説明するもので、（Ａ）はガイドワイヤ固定具が待機位置で保持されている状態を示す要部の斜視図、（Ｂ）はガイドワイヤの固定状態を示す要部の斜視図。
【図４７】  本発明の第２５実施形態を示すもので、（Ａ）は内視鏡におけるガイドワイヤ固定具が待機位置で保持されている状態を示す要部の斜視図、（Ｂ）はガイドワイヤの固定状態を示す要部の斜視図。
【図４８】  本発明の第２６実施形態の内視鏡における挿入部の先端部の平面図。
【図４９】  第２６実施形態の内視鏡におけるガイドワイヤ固定具が待機位置で保持されている状態を示す要部の縦断面図。
【図５０】  第２６実施形態の内視鏡におけるガイドワイヤ固定具によるガイドワイヤの固定状態を示す要部の縦断面図。
【図５１】  第１１実施形態の第２の変形例を示す要部の斜視図。
【図５２】  本発明の第２７実施形態を示す要部の概略構成図。
【図５３】  第２７実施形態の内視鏡における先端部の内部構成を示す縦断面図。
【図５４】  （Ａ）は第２７実施形態のガイドワイヤ係止部材を示す斜視図、（Ｂ）は牽引ワイヤの先端のラックギヤを示す斜視図。
【図５５】  第２７実施形態におけるガイドワイヤ係止部材の変形例を示す斜視図。
【図５６】  本発明の第２８実施形態を示すもので、（Ａ）は内視鏡における挿入部の先端部の内部構成を示す要部の縦断面図、（Ｂ）はガイドワイヤ係止部材を示す斜視図。
【図５７】  （Ａ）は第２９実施形態の内視鏡における挿入部の先端部の内部構成を示す要部の縦断面図、（Ｂ）は起上台作動機構のガイドワイヤ固定用起上台が待機位置で保持されている状態を示す要部の縦断面図、（Ｃ）は起上台作動機構のガイドワイヤ固定用起上台がガイドワイヤの係止位置に移動された状態を示す要部の縦断面図。
【図５８】  本発明の第３０実施形態を示すもので、（Ａ）は処置具起上台の上のガイドワイヤ固定用起上台を示す斜視図、（Ｂ）は処置具起上台の受部を示す斜視図、（Ｃ）はガイドワイヤ固定用起上台を示す斜視図。
【図５９】  （Ａ）は第２９実施形態の内視鏡におけるガイドワイヤ固定用起上台の第１の変形例を示す斜視図、（Ｂ）はガイドワイヤ固定用起上台の第２の変形例を示す斜視図。
【図６０】  本発明の第３１実施形態を示すもので、（Ａ）は起上台作動機構のガイドワイヤ固定用起上台が待機位置で保持されている状態を示す要部の縦断面図、（Ｂ）は起上台作動機構のガイドワイヤ固定用起上台がガイドワイヤの係止位置に移動された状態を示す要部の縦断面図。
【図６１】  （Ａ）は第３１実施形態の内視鏡における処置具起上台の上のガイドワイヤ固定用起上台を示す斜視図、（Ｂ）は起上台作動機構のガイドワイヤ固定用起上台の動作状態を示す斜視図。
【図６２】  第３１実施形態の内視鏡における処置具起上台の起上角度とガイドワイヤ固定用起上台の起上角度との関係を示す関係図。
【図６３】  第３１実施形態の内視鏡におけるガイドワイヤ固定用起上台の変形例を示す斜視図。
【図６４】  本発明の第３２実施形態の内視鏡における挿入部の先端部の斜視図。
【図６５】  第３２実施形態の起上台作動機構のガイドワイヤ固定用起上台がガイドワイヤの係止位置に移動された状態を示す要部の縦断面図。
【図６６】  本発明の第３３実施形態を示すもので、（Ａ）は内視鏡の操作部を示す平面図、（Ｂ）は内視鏡の挿入部を示す平面図、（Ｃ）は内視鏡の挿入部の内部構造を示す要部の縦断面図、（Ｄ）はカム部材を示す斜視図。
【図６７】  （Ａ）は第３３実施形態における内視鏡の操作部の第１変形例を示す平面図、（Ｂ）は内視鏡の操作部の第２変形例を示す平面図。
【図６８】  本発明の第３４実施形態を示すもので、（Ａ）は内視鏡における挿入部の先端部の内部構成を示す要部の縦断面図、（Ｂ）はガイドワイヤ固定具の動作状態を示す要部の縦断面図。
【図６９】  本発明の第３５実施形態を示すもので、（Ａ）は内視鏡における挿入部の先端部の内部構成を示す要部の縦断面図、（Ｂ）はガイドワイヤ固定具の動作状態を示す要部の縦断面図、（Ｃ）はトルク伝達部材を示す斜視図。
【図７０】  本発明の第３６実施形態を示すもので、（Ａ）は内視鏡における挿入部の先端部の概略構成を示す要部の斜視図、（Ｂ）は挿入部の先端部の内部構成を示す要部の縦断面図、（Ｃ）はガイドワイヤ固定用起上台がガイドワイヤの係止位置に移動された状態を示す要部の縦断面図。
【図７１】  本発明の第３７実施形態の内視鏡におけるガイドワイヤ固定部が待機位置で保持されている状態を示す要部の平面図。
【図７２】  第３７実施形態の内視鏡におけるガイドワイヤの固定状態を示す要部の平面図。
【図７３】  第３７実施形態の内視鏡におけるガイドワイヤ固定部の、端部の固定状態の変形例を示す平面図。
【図７４】  本発明の第３８実施形態を示すもので、（Ａ）は内視鏡における挿入部の先端部の概略構成を示す要部の斜視図、（Ｂ）はガイドワイヤ固定具の構成を示す要部の斜視図、（Ｃ）はガイドワイヤ固定具の構成を示す要部の縦断面図。
【図７５】  第３８実施形態の内視鏡の変形例を示す要部の縦断面図。
【図７６】  本発明の第３９実施形態における内視鏡の手元側操作部を示す斜視図。
【図７７】  （Ａ）は第３９実施形態のガイドワイヤ固定前の状態を示す斜視図、（Ｂ）はガイドワイヤ固定後の状態を示す斜視図。
【図７８】  第３９実施形態の内視鏡の挿入部における先端部分の内部構成を示す縦断面図。
【図７９】  （Ａ）は第３９実施形態のスネアが閉じられた状態を示す斜視図、（Ｂ）はスネアが開かれた状態を示す斜視図。
【図８０】  第３９実施形態のガイドワイヤ固定部材を示す分解斜視図。
【図８１】  本発明の第４０実施形態の内視鏡装置における内視鏡の挿入部の先端部にガイドワイヤ固定部材を装着した状態を示す斜視図。
【図８２】  第４０実施形態の内視鏡装置におけるガイドワイヤ固定部材の構成を示した斜視図。
【図８３】  第４０実施形態の内視鏡装置におけるガイドワイヤ固定部材を用いてガイドワイヤ以外の処置具を起上する場合の動作を示すもので、（Ａ）は処置具起上台を起上する前の状態を示す斜視図、（Ｂ）は処置具起上台を起上させた状態を示す斜視図。
【図８４】  第４０実施形態の内視鏡装置におけるガイドワイヤ固定部材を用いてガイドワイヤを起上する場合の操作を示すもので、（Ａ）は処置具起上台を起上する前の状態を示す斜視図、（Ｂ）は処置具起上台を起上させた状態を示す斜視図。
【図８５】  第４０実施形態の内視鏡装置におけるガイドワイヤ固定部材を用いてガイドワイヤを係止させた状態を示す要部の縦断面図。
【図８６】  本発明の第４１実施形態を示すもので、（Ａ）はガイドワイヤ固定部材の構成を示す要部の斜視図、（Ｂ）はガイドワイヤ固定部材の取付部を示す平面図。
【図８７】  第４１実施形態の内視鏡装置におけるガイドワイヤ固定部材の取付機構を示すもので、（Ａ）は内視鏡の挿入部の先端部にガイドワイヤ固定部材を取り付ける前の状態を示す要部の縦断面図、（Ｂ）は内視鏡の挿入部の先端部にガイドワイヤ固定部材を取り付けた状態を示す要部の縦断面図。
【図８８】  第４１実施形態の内視鏡装置におけるガイドワイヤ固定部材を用いてガイドワイヤ以外の処置具を起上する場合の操作を示すもので、（Ａ）は処置具起上台を起上する前の状態を示す斜視図、（Ｂ）は処置具起上台を起上させた状態を示す斜視図。
【図８９】  第４１実施形態の内視鏡装置におけるガイドワイヤ固定部材を用いてガイドワイヤを起上する場合の操作を示すもので、（Ａ）は処置具起上台を起上する前の状態を示す斜視図、（Ｂ）は処置具起上台を起上させた状態を示す斜視図。
【図９０】  本発明の第４２実施形態の内視鏡装置における内視鏡の挿入部の先端部にガイドワイヤ固定部材を取り付けた状態を示す要部の平面図。
【図９１】  第４２実施形態の内視鏡装置におけるガイドワイヤ固定部材の取付機構を示す要部の平面図。
【図９２】  第４２実施形態の内視鏡装置におけるガイドワイヤ固定部材の取付機構を示すもので、（Ａ）は要部の平面図、（Ｂ）は内視鏡装置を体腔内に挿入した状態を説明するための説明図。
【図９３】  第４２実施形態の内視鏡装置におけるガイドワイヤ識別機構部及びクリック機構を有するガイドワイヤ固定部材本体を示すもので、（Ａ）はガイドワイヤ固定機構部の要部の平面図、（Ｂ）は同側面図、（Ｃ）はガイドワイヤ固定機構部の背面を示す平面図、（Ｄ）はガイドワイヤ固定機構部の側面図。
【図９４】  第４２実施形態の内視鏡装置におけるガイドワイヤ固定部材本体のベース部材を示すもので、（Ａ）はベース部材の表面側の平面図、（Ｂ）はベース部材の裏面側の平面図、（Ｃ）はベース部材の側面図。
【図９５】  第４２実施形態の内視鏡装置における各部材を示すもので、（Ａ）はガイドワイヤ固定具の平面図、（Ｂ）はガイドワイヤ識別部材の平面図、（Ｃ）はガイドワイヤ識別部材の側面図、（Ｄ）はストッパの側面図、（Ｅ）はストッパの平面図。
【図９６】  第４２実施形態の内視鏡装置におけるガイドワイヤ固定部材本体のベース部材の表側に配置された上蓋の平面図。
【図９７】  第４２実施形態の内視鏡装置におけるガイドワイヤ固定部材の取付部材を示すもので、（Ａ）は側面図、（Ｂ）は平面図。
【図９８】  第４２実施形態の内視鏡装置におけるガイドワイヤ固定部材のクリック機構を示すもので、（Ａ）はクリックピンを示す図、（Ｂ）はクリック溝を示す図。
【図９９】  （Ａ）は第４２実施形態の内視鏡装置におけるガイドワイヤ固定部材の初期状態を示す平面図、（Ｂ）は同側面図、（Ｃ）はガイドワイヤ識別部材のストッパ解除部がストッパ部材を左右に押し広げた状態を示す平面図、（Ｄ）はストッパが解除されてガイドワイヤ固定具が押し込まれた状態を示す平面図。
【図１００】  （Ａ）は第４２実施形態の内視鏡装置におけるガイドワイヤ固定具及びガイドワイヤ識別部材が押し込まれた状態で保持される状態を示す平面図、（Ｂ）はクリックピンが第２の凸部に到達してロックが解除された状態を示す平面図、（Ｃ）はガイドワイヤ固定具が初期状態に戻る途中の状態を示す平面図。
【図１０１】  第４２実施形態の内視鏡装置における処置具を起上する場合の動作を示すもので、（Ａ）は処置具起上台を起上する前の状態を示す挿入部の先端部の平面図、（Ｂ）は同縦断面図、（Ｃ）は処置具起上台が起上されてストッパが解除された状態を示す挿入部の先端部の平面図、（Ｄ）は同縦断面図、（Ｅ）はガイドワイヤ固定具及びガイドワイヤ識別部材が押し込まれた状態を示す挿入部の先端部の平面図、（Ｆ）は同縦断面図。
【図１０２】  第４２実施形態の内視鏡装置におけるガイドワイヤを起上した場合の動作を示すもので、（Ａ）は処置具起上台を起上する前の状態を示す挿入部の先端部の平面図、（Ｂ）は同縦断面図、（Ｃ）はガイドワイヤが処置具起上台とガイドワイヤ固定具とに押し付けられて固定された状態を示す挿入部の先端部の平面図、（Ｄ）は同縦断面図。
【図１０３】  本発明の第４３実施形態を示すもので、（Ａ）はガイドワイヤ固定部材本体におけるベース部材の表側の平面図、（Ｂ）はガイドワイヤ固定部材本体におけるベース部材の裏側の平面図、（Ｃ）はガイドワイヤ固定部材本体のベース部材の側面図、（Ｄ）はガイドワイヤ固定具の平面図、（Ｅ）はガイドワイヤ識別部材の平面図、（Ｆ）は同側面図、（Ｇ）はストッパ部材の平面図、（Ｈ）は同側面図、（Ｉ）はクリック機構のクリックピンの平面図、（Ｊ）はクリック機構のクリック溝を示す図。
【図１０４】  第４３実施形態の内視鏡装置における処置具を起上する場合のガイドワイヤ固定部材本体の動作を示すもので、（Ａ）は処置具起上台を起上する前の初期状態を示す平面図、（Ｂ）は同縦断面図、（Ｃ）は処置具起上台が起上されてストッパが解除された状態を示す平面図、（Ｄ）は同縦断面図、（Ｅ）はガイドワイヤ固定具及びガイドワイヤ識別部材が押し込まれた状態を示す平面図、（Ｆ）は同縦断面図。
【図１０５】  （Ａ）は第４３実施形態の内視鏡装置におけるガイドワイヤ固定具及びガイドワイヤ識別部材のクリック解除状態を示す平面図、（Ｂ）は同縦断面図、（Ｃ）はガイドワイヤ固定具及びガイドワイヤ識別部材が初期位置に戻る状態を示す平面図、（Ｄ）は同縦断面図。
【図１０６】  第４３実施形態の内視鏡装置における処置具を起上する場合の動作を示すもので、（Ａ）は処置具起上台を起上する前の状態を示す挿入部の先端部の平面図、（Ｂ）は同縦断面図、（Ｃ）は処置具起上台が起上されてストッパが解除された状態を示す挿入部の先端部の平面図、（Ｄ）は同縦断面図、（Ｅ）はガイドワイヤ固定具及びガイドワイヤ識別部材が押し込まれた状態を示す挿入部の先端部の平面図、（Ｆ）は同縦断面図。
【図１０７】  第４３実施形態の内視鏡装置におけるガイドワイヤを起上した場合の動作を示すもので、（Ａ）は処置具起上台を起上する前の状態を示す挿入部の先端部の平面図、（Ｂ）は同縦断面図、（Ｃ）はガイドワイヤが処置具起上台とガイドワイヤ固定具とに押し付けられて固定された状態を示す挿入部の先端部の平面図、（Ｄ）は同縦断面図。
【図１０８】  本発明の第４４実施形態を示すもので、（Ａ）は把持処置具が外付チャンネル内に挿入された状態を示す要部の斜視図、（Ｂ）はスネアが外付チャンネル内に挿入された状態を示す要部の斜視図、（Ｃ）はガイドワイヤ押込板が外付チャンネル内に挿入された状態を示す要部の斜視図。
【図１０９】  本発明の第４５実施形態の内視鏡装置におけるガイドワイヤ固定部材の取り付け状態を示す要部の斜視図。
【図１１０】  本発明の第４６実施形態を示すもので、（Ａ）は内視鏡における挿入部の先端部に把持処置具が装着された状態を示す要部の斜視図、（Ｂ）は内視鏡の湾曲部を湾曲させて操作ワイヤを弛緩させた状態を示す要部の斜視図、（Ｃ）はガイドワイヤが把持処置具で挟める位置までを起上させた状態を示す要部の斜視図。
【図１１１】  本発明の概念図を示すもので、（Ａ）は内視鏡の挿入部の先端部付近にガイドワイヤ固定部材が着脱自在に取り付けられた場合の処置具の起上状態を示す要部の縦断面図、（Ｂ）は（Ａ）の処置具の代わりにガイドワイヤが起上されている状態を示す要部の縦断面図、（Ｃ）は内視鏡の挿入部の先端部付近にガイドワイヤ固定部材が埋め込まれている場合の処置具の起上状態を示す要部の縦断面図、（Ｂ）は（Ａ）の処置具の代わりにガイドワイヤが起上されている状態を示す要部の縦断面図。
【図１１２】  （Ａ）は既存の内視鏡における挿入部の先端部を示す要部の平面図、（Ｂ）は（Ａ）の側面図、（Ｃ）は内視鏡の挿入部の先端部にガイドワイヤ固定部材設置空間を有している内視鏡を示す要部の平面図、（Ｄ）は（Ｃ）の側面図、（Ｅ）はガイドワイヤ固定機構部の取付部材を有した内視鏡を示す要部の平面図、（Ｆ）は（Ｅ）の側面図、（Ｇ）はガイドワイヤ固定機構部を有したガイドワイヤ固定部材が着脱不可能に内蔵された内視鏡を示す要部の平面図、（Ｈ）は（Ｇ）の側面図。
【図１１３】  （Ａ）はガイドワイヤの変形例を示す要部の平面図、（Ｂ）はガイドワイヤの他の変形例を示す要部の平面図、（Ｃ）はガイドワイヤのさらに別の変形例を示す要部の平面図。
【図１１４】  従来の方法で内視鏡を用いて内視鏡的処置を行なうに際のガイドワイヤの使用状態を示すもので、（Ａ）はカテーテルを内視鏡の処置具挿通用チャンネルから引き抜く操作状態を説明するための説明図、（Ｂ）はカテーテルを完全に内視鏡から引き抜く操作状態を説明するための説明図。
【符号の説明】
１２  挿入部
１７  先端部
２１ 先端硬質部
２３  処置具挿通用チャンネル
２４ 導入案内路
２６  チャンネル開口部
２７ 処置具起上台（ガイドワイヤ固定手段）
６８  ガイドワイヤ
２７３ 導入案内路上面（ガイドワイヤ固定手段）
３２１ ワイヤ係止溝（ガイドワイヤ固定手段）
【手続補正８】
【補正対象書類名】図面
【補正対象項目名】図１
【補正方法】変更
【補正の内容】
【図１】
2002034905.tif 000001